(57)【要約】      （修正有）【課題】ワイヤハーネスに接続するコネクタに必要時にスプライス機能を付与するコネクタを提供する。【解決手段】コネクタ本体２と、前記コネクタ本体の前面の一部領域に着脱自在に取り付けるスプライスパーツ３を備え、前記スプライスパーツは、ハウジング２０の外面に取付片２２を備えると共にスプライス端子２５を備え、前記スプライス端子はスプライスパーツの複数の端子収容部２１に収容する複数の分岐端子部２５ａ、２５ｂと、該分岐端子部と連続して他方に突出する１本のジョイント端子部２５ｄを備え、該ジョイント端子部を前記コネクタ本体の端子収容室に挿入係止し、前記ワイヤハーネスの電線のうち、相手方端子と一対一で接続する電線端末の端子を前記コネクタ本体の端子収容室に挿入係止すると共に、１本の相手方端子とジョイント接続する複数本の電線端末の端子は前記スプライスパーツの端子収容部に挿入係止し、スプライス機能を持たせている。【選択図】図２
2013149499.tif 000002
【特許請求の範囲】
【請求項１】
ワイヤハーネスを構成する電線に接続するコネクタであって、
コネクタハウジング内に並設する端子収容室の前面側の開口を電線端末の端子挿入口とすると共に背面側の開口を相手方端子挿入口としたコネクタ本体と、
前記コネクタ本体の前面の一部領域に着脱自在に取り付けるスプライスパーツを備え、  前記スプライスパーツは、スプライス端子を収容する端子収容部を備えるハウジングの外面に前記コネクタ本体の空きの端子収容室に端子挿入口から挿入係止する取付片を備え、前記スプライス端子はスプライスパーツの複数の端子収容部に収容する複数の分岐端子部と、該分岐端子部と連続して他方に突出する１本のジョイント端子部を備え、該ジョイント端子部を前記コネクタ本体の端子収容室に挿入係止し、
前記ワイヤハーネスの電線のうち、相手方端子と一対一で接続する電線端末の端子を前記コネクタ本体の端子収容室に挿入係止すると共に、１本の相手方端子とジョイント接続する複数本の電線端末の端子は前記スプライスパーツの端子収容部に挿入係止し、スプライス機能を持たせていることを特徴とするコネクタ。
【請求項２】
前記スプライスパーツの取付片に係止部を設けると共に挿入する前記コネクタ本体の端子収容室内に前記係止部と係止する被係止部を設けている請求項１に記載のコネクタ。
【請求項３】
前記ワイヤハーネスの枝線端末に接続され、
電気接続箱あるいは電子制御ユニットに設けられるコネクタ嵌合部に嵌合され、前記端子収容室に背面側の開口から該機器の相手方端子が挿入され、
あるいは、他のワイヤハーネスに接続されたメスコネクタと嵌合されるオスコネクタである請求項１または請求項２に記載のコネクタ。
【発明の詳細な説明】
【技術分野】
【０００１】
本発明はワイヤハーネスに接続するコネクタに関し、詳しくは、端子同士を一対一で雌雄嵌合して回路接続を図るコネクタにスプライス機能を付設し、ワイヤハーネスに接続するコネクタを高機能化するものである。
【背景技術】
【０００２】
従来、車両に配索されているワイヤハーネスを構成する電線群のうちで互いに接続してジョイント回路を形成する必要がある場合、図９（Ａ）に示すように、ワイヤハーネスの幹線１００からジョイントする電線を分岐させた枝線１０１を設け、該枝線の先端にジョイントバスバーを収容したジョイントコネクタ１０２を接続し、該ジョイントコネクタ１０２を幹線１００にテープ１０３で巻き付けて固着する場合が多い。
【０００３】
また、図９（Ｂ）に示すように、ワイヤハーネスを構成する電線同士をジョイントするのではなく、電線端末の端子同士を嵌合してワイヤーツ−ワイヤーで回路接続する場合もある。この場合、回路接続する電線１０５と１０６をそれぞれコネクタ１１０と１１１に収容し、コネクタ同士を雌雄嵌合接続し幹線１００の側部に締結バンド１１２で取り付ける場合もある。
【０００４】
さらに、特開平１１−２０４２１８号公報および特開２０１１−８２０２７号公報では、回路接続機能とジョイント機能の両方を持たせたコネクタも提案されている。
【先行技術文献】
【特許文献】
【０００５】
【特許文献１】特開平１１−２０４２１８号公報
【特許文献２】特開２０１１−８２０２７号公報
【発明の概要】
【発明が解決しようとする課題】
【０００６】
しかしながら、端子を一対一で嵌合する回路接続を基本とするコネクタに、必要に応じて着脱自在に部品を付設してスプライス機能を付与できるようにしたコネクタは提供されていない。具体的には、ワイヤハーネスの複数本の電線に接続した複数の端子をコネクタに収容し、他の１本の電線または機器内の１つの回路に接続した相手方端子とスプライス接続する機能を、回路接続機能に必要に応じて付設できるようにしたものは提供されていない。
【０００７】
よって、コネクタ接続でスプライス部を形成するのではなく、電線同士を直接にスプライス接続している。しかしながら、スプライス接続作業は、電線の絶縁被覆層を皮剥ぎして芯線を露出させ、該芯線同士を中間ジョイント端子で加締め固着して形成し、該スプライス部に絶縁テープやシートを巻き付ける等、作業手数がかかる問題がある。かつ、スプライス接続する電線の変更が容易にできない問題もある。
【０００８】
本発明は前記問題を解消せんとするもので、一対一の回路接続に加えて、スプライス接続が必要な場合、コネクタにスプライス機能部品を着脱自在に取り付けることができるコネクタを提供することを課題としている。
【課題を解決するための手段】
【０００９】
前記課題を解決するため、本発明は、ワイヤハーネスを構成する電線に接続するコネクタであって、
コネクタハウジング内に並設する端子収容室の前面側の開口を電線端末の端子挿入口とすると共に背面側の開口を相手方端子挿入口としたコネクタ本体と、
前記コネクタ本体の前面の一部領域に着脱自在に取り付けるスプライスパーツを備え、  前記スプライスパーツは、スプライス端子を収容する端子収容部を備えるハウジングの外面に前記コネクタ本体の空きの端子収容室に端子挿入口から挿入係止する取付片を備え、前記スプライス端子はスプライスパーツの複数の端子収容部に収容する複数の分岐端子部と、該分岐端子部と連続して他方に突出する１本のジョイント端子部を備え、該ジョイント端子部を前記コネクタ本体の端子収容室に挿入係止し、
前記ワイヤハーネスの電線のうち、相手方端子と一対一で接続する電線端末の端子を前記コネクタ本体の端子収容室に挿入係止すると共に、１本の相手方端子とジョイント接続する複数本の電線端末の端子は前記スプライスパーツの端子収容部に挿入係止し、スプライス機能を持たせていることを特徴とするコネクタを提供している。
【００１０】
前記のように、ワイヤハーネスに接続するコネクタに、スプライス接続をして機器の回路または他のワイヤハーネスの電線と接続する必要がある場合には、コネクタ本体にスプライス端子を挿入係止したスプライスパーツを着脱自在に取り付けられるようにしているため、コネクタの機能を高めることができる。かつ、コネクタ本体として従来汎用されている周知の一般的なコネクタを用いることができるため、スプライス端子を収容するスプライスパーツを設ければ良いだけであるため、容易に実施できる。また、スプライスパーツをコネクタ本体に取り付けても、該コネクタ本体の嵌合面側の外面に突出部等を発生させないため、該コネクタ本体を従来嵌合している機器のコネクタ嵌合部や他のワイヤハーネスに接続しているメスコネクタと嵌合することができる。
【００１１】
前記スプライスパーツの取付片に係止部を設けると共に挿入する前記コネクタ本体の端子収容室内に前記係止部と係止する被係止部を設けている。
前記コネクタ本体の端子収容室内に設ける被係止部は、各端子収容室の内面に予め設けられている端子係止用のランスまたは係止溝でよい。よって、スプライスパーツに設ける取付片は端子収容室内に挿入する相手方端子と同様な形状とし、該相手方端子に設けられているランス係止穴または前記係止溝に係止する係止段部を設ければよい。
【００１２】
このように、コネクタ本体の全端子収容室は端子を一対一で嵌合接続できる形状としており、空きの端子収容室にスプライスパーツの取付片を挿入して固定できる。また、コネクタ本体の外面も変更を加えていないため、スプライス機能有りとスプライス機能なしのいずれにしても、相手方となる機器のコネクタ嵌合部または別のワイヤハーネスに接続されたメスコネクタと問題なく嵌合できる。
【００１３】
前記コネクタ本体は機器のコネクタ嵌合部に嵌合され、または別のワイヤハーネスに接続したメスコネクタに嵌合されるオスコネクタである。
具体的には、本発明のコネクタのコネクタ本体はワイヤハーネスの枝線端末に接続され、電気接続箱あるいは電子制御ユニット等からなる機器に設けられるコネクタ嵌合部に嵌合され、コネクタ本体の端子収容室内に相手方端子が挿入され、コネクタ本体に挿入される電線側の端子と一対一で嵌合接続される。あるいは、コネクタ本体は他のワイヤハーネスに接続されたメスコネクタと雌雄嵌合されるオスコネクタとしている。
ワイヤハーネスの電線をスプライス接続して機器の回路と接続する必要がある場合や他のワイヤハーネスの電線に接続する必要がある場合には、前記コネクタ本体に前記スプライス端子を収容したスプライスパーツを着脱自在に取り付けている。
【００１４】
前記のように、本発明のワイヤハーネスに接続するコネクタは、機器のコネクタ嵌合部に嵌合するコネクタとして適用できると共に、他のワイヤハーネスのコネクタとワイヤーツーワイヤでオスメス嵌合する場合にも適用できる。いずれの場合にも、ワイヤハーネスの電線同士を直接にスプライス接続する必要はなく、コネクタ内でスプライス接続することができる。
【発明の効果】
【００１５】
前記のように、本発明のワイヤハーネスに接続するコネクタは、一対一で端子を接続する回路接続を基本とするコネクタに、必要に応じて、スプライスパーツを着脱自在に取り付けてスプライス機能を付設している。よって、ワイヤハーネスを構成する電線同士を直接スプライス接続する必要はなく、スプライス接続のための電線の皮剥ぎ作業、中間端子の加締め圧着作業、絶縁テープやシートの外装作業を無くすことができる。かつ、スプライス接続する電線の変更も簡単にできる利点も有する。
【図面の簡単な説明】
【００１６】
【図１】本発明の第１実施形態のコネクタをワイヤハーネスに接続し、該コネクタを機器のコネクタ嵌合部に嵌合する状態を示す斜視図である。
【図２】前記コネクタの分解斜視図である。
【図３】（Ａ）はコネクタ本体の断面図、（Ｂ）はスプライスパーツの断面図である。
【図４】コネクタ本体にスプライスパーツを取り付けたコネクタをワイヤハーネスの端末に接続した状態を示す斜視図である。
【図５】図４のＶ−Ｖ線断面図である。
【図６】前記コネクタを機器のコネクタ嵌合部に嵌合した状態を示す図面である。
【図７】（Ａ）（Ｂ）はスプライス端子の変形例を示す斜視図である。
【図８】第２実施形態を示す概略図である。
【図９】（Ａ）（Ｂ）はそれぞれ従来例を示す斜視図である。
【発明を実施するための形態】
【００１７】
以下、本発明の実施形態を図面を参照して説明する。
第１実施形態のコネクタは、自動車に配索するワイヤハーネスの幹線から分岐した枝線端末に接続したコネクタで、該コネクタは電子制御ユニットからなる機器に設けたコネクタ嵌合部に挿入して嵌合するものである。
【００１８】
図１乃至図６に第１実施形態を示す。
第１実施形態のコネクタ１は、前記のように、ワイヤハーネス５０の幹線５１から分岐した枝線５２の端末に接続される。コネクタ１は、コネクタ本体２と、必要に応じてコネクタ本体２に着脱自在に取り付けるスプライスパーツ３とからなる。
【００１９】
コネクタ本体２は対向方向から挿入する端子同士を一対一で雌雄嵌合して回路接続する一般的なコネクタである。該コネクタ本体２は機器６０に設けたコネクタ嵌合部６１に嵌合するものとしている。
【００２０】
コネクタ本体２は、コネクタハウジング１０内に図２および図３（Ａ）に示すように、上下２段で、各段に多数の端子収容室１１を並列している。コネクタハウジング１０の前面１０ａに電線端末の端子挿入口１１ａを設け、背面１０ｂに機器６０のコネクタ嵌合部６１に突出する相手方端子６２の端子挿入口１１ｂを設けている。また、各端子収容室１１内の下面または上面に端子係止用のランス１１ｃを設けている。さらにコネクタハウジング１０の上面１０ｃにロック部１０ｒを設け、コネクタ嵌合部６１内の被ロック部と係止するものとしている。
【００２１】
前記スプライスパーツ３は、図３（Ｂ）に示すように、ハウジング２０内に上下２段で各段２個の端子収容部２１を設け、各端子収容部２１はコネクタ本体２の端子収容室１１と同様な形状とし、前後両面に開口２１ａ、２１ｂを有し、内面に端子係止用ランス２１ｃを突設している。
【００２２】
また、ハウジング２０の一側外面２０ｄから背面側へと取付片２２を突設している。該取付片２２はコ字状とし、上下両側片２２ａ、２２ｂをコネクタ本体２の空きの端子収容室１１内に挿入できる形状としている。かつ、上下両側片２２ａ、２２ｂにそれぞれ係止穴２２ｈをあけている。該上下両側片２２ａ、２２ｂは、機器６０からコネクタ本体２の端子収容室１１に挿入する相手方端子６２と同様なオス端子形状とし、該端子６２に設ける係止穴と同一位置に前記係止穴２２ｈを設けている。
【００２３】
スプライスパーツ３の端子収容部２１に図５に示すスプライス端子２５を収容している。該スプライス端子２５は略Ｙ字状で、２つの端子収容部２１にそれぞれ挿入する２個の分岐端子部２５ａ、２５ｂと、該分岐端子部２５ａと２５ｂの基端を連続する帯部２５ｃと、該帯部２５ｃから他へ突出する１個のジョイント端子部２５ｄとからなる。２個の分岐端子部２５ａ、２５ｂはタブ状のオス端子形状とし、ジョイント端子部２５ｄはメス端子形状としている。ジョイント端子部２５ｄはコネクタ本体２の１つの端子収容室１１に挿入するもので、前記相手方端子６２と同一位置に係止穴（図示せず）を備え、端子収容室１１内に突出したランス１１ｃと係止するものとしている。本実施形態では、２枚のスプライス端子２５をスプライスパーツ３の上下２段の端子収容部２１に挿入している。
【００２４】
ワイヤハーネス５０の８本の電線Ｗからなる枝線５２に接続するコネクタ１は、枝線５２の内４本の電線Ｗは機器６０内の回路と一対一で接続し、残りの４本の電線Ｗは、２本づつスプライス接続して機器６０の各１つの回路と接続するため、コネクタ本体２にスプライスパーツ３を取り付けている。
【００２５】
８本の枝線５２の各端末に、それぞれメス端子５を圧着接続する。該枝線５２の電線Ｗのうち、機器６０内の回路と一対一で接続する電線端末のメス端子５をコネクタ本体２の端子収容室１１内にそれぞれ挿入し、端子収容室１１内に設けたランスで係止する。一方、スプライス接続する電線端末のメス端子５をスプライスパーツ３の端子挿入口となる開口から端子収容部２１に挿入し、内部に収容しているスプライス端子２５のオス端子状の分岐端子部２５ａ、２５ｂと接続する。これにより、上段の２個の端子収容部２１に収容した２本の電線、下段の２個の端子収容部２１に収容した２本の電線をそれぞれスプライス端子２５でスプライス接続する。これらスプライス端子２５のメス端子形状のジョイント端子部２５ｄはコネクタ本体２の１つの端子収容室１１内に突出する。端子収容室１１内におけるジョイント端子部２５ｄの位置は、前記電線Ｗの端末のメス端子５を直接に他の端子収容室１１に挿入した位置と同等の位置となる。
【００２６】
図６に示すように、ワイヤハーネス５０の枝線５２にコネクタ１を接続した状態で、自動車にワイヤハーネス５０を配索し、その枝線５２の端末に接続したコネクタ１のコネクタ本体２を機器６０のコネクタ嵌合部６１に内嵌する。該コネクタ嵌合部６１の平坦面の底面にコネクタ本体２の背面１０ｂが安定して接触し、コネクタ本体２をコネクタ嵌合部６１内に正規位置でロック結合して固定できる。このコネクタ嵌合部６１に内嵌したコネクタ本体２の前面１０ａはコネクタ嵌合部６１の開口面に位置し、前面１０ａの半側部に取り付けたスプライスパーツ３はコネクタ嵌合部６１の開口から前面外方に突出し、コネクタ本体２とコネクタ嵌合部６１との嵌合固定に対して邪魔にならない。
【００２７】
コネクタ嵌合部６１内にオス端子形状の相手方端子６２が突出しており、嵌合するコネクタ本体２の各端子収容室１１内に相手方端子６２が挿入する。これにより、電線Ｗの端末に接続したメス端子５と相手方端子６２とが一対一で雌雄嵌合する。これにより、１本の電線と機器６０内の１回路とが一対一で接続される。
また、図５に示すように、スプライス端子２５のジョイント端子部２５ｄが相手方端子６２と雌雄嵌合し、２本の電線が機器６０内の１回路とスプライス接続される。
【００２８】
このように、１つのコネクタ１を介してワイヤハーネスの電線と機器６０内の回路が一対一で接続すると同時に、２本の電線を１つの回路とスプライス接続することができる。このように、コネクタ１にスプライス機能を持たせることで、２本の電線を予めスプライス接続しておく必要がなく、スプライス作業を無くすことができる。
【００２９】
また、ワイヤハーネスの枝線５２の電線同士をスプライス接続することなく、すべて各１本の電線を機器６０の１回路と接続する場合には、コネクタ本体２にスプライスパーツ３を取り付ける必要はなく、コネクタ本体２のみを接続して、機器６０のコネクタ嵌合部６１に嵌合すればよい。
【００３０】
なお、スプライス端子２５の形状は限定されず、図７（Ａ）（Ｂ）に示すように、スプライス接続する電線本数に応じた形状となる。図７（Ａ）のスプライス端子２５は帯部２５ｃの一端側から４つの分岐端子部２５ａを突出し、スプライスパーツ３の上下４つの端子収容部２１に挿入し、４本の電線をスプライス接続できるようにしてもよい。また、図７（Ｂ）に示すスプライス端子２５は分岐端子部を３個としている。
【００３１】
図８に第２実施形態を示す。
第２実施形態では、ワイヤハーネス５０の枝線５２に第１実施形態と同様のコネクタ本体２にスプライス端子を収容したスプライスパーツ３を取り付けたコネクタ１を接続している。一方、該コネクタ１を、機器のコネクタ嵌合部に嵌合するのではなく、他のワイヤハーネス７０に接続したメスコネクタ７１と嵌合している。該メスコネクタ７１は第１実施形態の機器のコネクタ嵌合部６１と同様な形状の端子挿入口７１ｂから相手方端子７５が突出したコネクタ嵌合部７１ａを備えている。
【００３２】
前記コネクタ１は第１実施形態と同様にスプライス接続が必要な場合はスプライス端子を収容したスプライスパーツ３を取り付け、ワイヤハーネス５０の枝線５２の一部の電線同士をスプライス端子でスプライス接続している。該枝線５２の他の電線端末の端子はコネクタ本体２に直接挿入している。
【００３３】
前記のように、ワイヤーツ−ワイヤーで接続する雌雄嵌合コネクタのうち、オスコネクタを前記スプライスパーツを着脱自在にコネクタ本体２に取り付けることができるコネクタ１の形状とするだけでよく、他方のワイヤハーネスに接続するメスコネクタは変更することなく使用することができる。
【符号の説明】
【００３４】
１  コネクタ
２  コネクタ本体
３  スプライスパーツ
５  電線端末に接続するメス端子
１０  コネクタハウジング
１０ａ  前面
１０ｂ  背面
１１  端子収容室
２０  スプライスパーツのハウジング
２１  端子収容部
２２  取付片
２５  スプライス端子
５０  ワイヤハーネス
５２  枝線
６０  機器
６１  コネクタ嵌合部
６２  相手方端子
Ｗ    電線
【図１】
2013149499.tif 000003
【図２】
2013149499.tif 000004
【図３】
2013149499.tif 000005
【図４】
2013149499.tif 000006
【図５】
2013149499.tif 000007
【図６】
2013149499.tif 000008
【図７】
2013149499.tif 000009
【図８】
2013149499.tif 000010
【図９】
2013149499.tif 000011